(57)【特許請求の範囲】
【請求項１】
複数枚の紙幣の挿入に伴って、折れ曲がり等の変形を矯正する紙幣取扱装置において、
（ａ）受取払出口の下縁から前方に突出させて形成された紙幣受け部と、
（ｂ）前記受取払出口の上縁から前方に突出させて形成された上案内部とを有するとともに、
（ｃ）前記紙幣受け部及び上案内部は、いずれも、紙幣の挿入方向における湾曲を矯正する第１の案内面、及び紙幣の挿入方向に対して直角の方向における湾曲を矯正する第２の案内面を備えることを特徴とする紙幣取扱装置。
【請求項２】
前記紙幣受け部に形成された第２の案内面は、紙幣の挿入に伴って、紙幣の前端における中央部分を上方に押し上げる請求項１に記載の紙幣取扱装置。
【請求項３】
前記上案内部に形成された第２の案内面は、紙幣の挿入に伴って、紙幣の前端における両縁部を下方に押し下げる請求項１に記載の紙幣取扱装置。
【請求項４】
前記上案内部に、凹溝が形成される請求項１に記載の紙幣取扱装置。
【請求項５】
前記受取払出口の左右の横縁から前方に突出させて、かつ、前記紙幣受け部の両縁から上方に立ち上げて形成された横案内部を有する請求項１に記載の紙幣取扱装置。
【発明の詳細な説明】
【０００１】
【発明の属する技術分野】
本発明は、紙幣取扱装置に関するものである。
【０００２】
【従来の技術】
従来、例えば、金融機関に配設された紙幣取扱装置は、前面に操作画面、テンキー、硬貨投入・釣銭部、紙幣受取払出部、カード処理部、レシート排出部等を備えた操作部を備え、前記紙幣受取払出部において、操作者が受取払出口に挿入した紙幣を受け取ったり、操作者との取引きに従って、所定の額の紙幣を前記受取払出口に払い出したりすることができるようになっている。
【０００３】
図２は従来の紙幣受取払出部の斜視図、図３は従来の紙幣受取払出部の正面図、図４は従来の紙幣受取払出部の断面図である。
【０００４】
図において、１１は、受取払出口１２を備えた紙幣受取払出部であり、紙幣取扱装置の前面に形成された操作部に配設される。該操作部は、前記紙幣受取払出部１１のほかに、いずれも図示されない操作画面、テンキー、硬貨投入・釣銭部、カード処理部、レシート排出部等を備える。前記紙幣取扱装置は、前記紙幣受取払出部１１において、操作者が受取払出口１２に挿入した紙幣を受け取ったり、操作者との取引きに従って、所定の額の紙幣を前記受取払出口１２に払い出したりする。
【０００５】
前記紙幣受取払出部１１は、ねじｓ１〜ｓ４によって紙幣取扱装置の本体に取り付けられ、中央に受取払出口１２が貫通させて形成された矩（く）形のパネル部５１、該パネル部５１に対してほぼ直角に、かつ、前記受取払出口１２の下縁から前方（図４における右方）及び後方（図４における左方）に突出させて形成された紙幣受け部５２、前記受取払出口１２の上縁から前方に突出させて形成された上案内部５３、並びに前記受取払出口１２の左右の横縁から前方に突出させて、かつ、紙幣受け部５２の両縁から上方に立ち上げて形成された横案内部５４、５５を備える。
【０００６】
前記紙幣受け部５２の前端（図４における右端）の近傍の上面に、前方に向けて斜め下方に傾斜させて下案内面１４が、前記上案内部５３の下面に、前方に向けて斜め上方に傾斜させて上案内面１３が、前記横案内部５４、５５の内面に、斜め外方に向けて広がるように横案内面１５、１６が形成され、前記上案内面１３は、受取り時に紙幣の挿入方向において前端が上側に湾曲した紙幣、束にされ、厚みのある複数の紙幣等を矯正して受取払出口１２に案内し、下案内面１４は、受取り時に紙幣の挿入方向において前端が下方に湾曲した紙幣を矯正して受取払出口１２に案内し、前記横案内面１５、１６は、受取り時に紙幣の挿入方向において左右にずれた紙幣を受取払出口１２に案内する。
【０００７】
次に、前記構成の紙幣受取払出部１１の動作について説明する。
【０００８】
図５は従来の紙幣受取払出部の動作を示す第１の図、図６は従来の紙幣受取払出部の動作を示す第２の図、図７は従来の紙幣受取払出部の動作を示す第３の図である。
【０００９】
まず、前端（図における左端）が上方に湾曲している紙幣Ｐを紙幣受取払出部１１の受取払出口１２に挿入しようとすると、紙幣Ｐの前端が、上案内面１３に当たり、図５の矢印で示されるように上案内面１３に接触しながら前方（図における右方）に移動する。その結果、紙幣Ｐは上案内面１３によって受取払出口１２に案内される。
【００１０】
また、前端が下方に湾曲した紙幣Ｐを受取払出口１２に挿入しようとすると、紙幣Ｐの前端が、下案内面１４に当たり、図６の矢印で示されるように下案内面１４に接触しながら前方に移動する。その結果、紙幣Ｐは下案内面１４によって受取払出口１２に案内される。
【００１１】
さらに、左右にずれている紙幣Ｐを受取払出口１２に挿入しようとすると、紙幣Ｐの前端が、横案内面１５、１６に当たり、図７の矢印で示されるように横案内面１５、１６に接触しながら前方に移動する。その結果、紙幣Ｐは横案内面１５、１６によって受取払出口１２に案内される。
【００１２】
【発明が解決しようとする課題】
しかしながら、前記従来の紙幣取扱装置においては、挿入方向に対して直角の方向、すなわち、受取払出口１２の幅方向において湾曲した紙幣、前端の角に折れくせがついた紙幣等を挿入しようとすると、紙幣の前端が折れ曲がってしまう。したがって、紙幣を円滑に受取払出口１２に挿入することができない。
【００１３】
本発明は、前記従来の紙幣取扱装置の問題点を解決して、紙幣を円滑に受取払出口に挿入することができる紙幣取扱装置を提供することを目的とする。
【００１４】
【課題を解決するための手段】
そのために、本発明の紙幣取扱装置においては、複数枚の紙幣の挿入に伴って、折れ曲がり等の変形を矯正するようになっている。
そして、受取払出口の下縁から前方に突出させて形成された紙幣受け部と、前記受取払出口の上縁から前方に突出させて形成された上案内部とを有する。
【００１５】
また、前記紙幣受け部及び上案内部は、いずれも、紙幣の挿入方向における湾曲を矯正する第１の案内面、及び紙幣の挿入方向に対して直角の方向における湾曲を矯正する第２の案内面を備える。
【００１６】
【発明の実施の形態】
以下、本発明の実施の形態について図面を参照しながら詳細に説明する。
【００１７】
図１は本発明の実施の形態における紙幣受取払出部の正面図、図８は本発明の実施の形態における紙幣受取払出部の平面図、図９は図８のＸ−Ｘ断面図、図１０は本発明の実施の形態における紙幣受取払出部の第１の斜視図、図１１は本発明の実施の形態における紙幣受取払出部の第２の斜視図である。
【００１８】
図において、２０は、受取払出口２１を備えた紙幣受取払出部であり、紙幣取扱装置の前面に形成された操作部に配設される。該操作部は、前記操作部２０のほかに、いずれも図示されない操作画面、テンキー、硬貨投入・釣銭部、カード処理部、レシート排出部等を備える。前記操作画面は、タッチキーを備え、操作者が該タッチキー、テンキー等を操作することによって入力された情報、紙幣取扱装置において処理を行った結果を表す情報等を表示したり、紙幣取扱装置の操作手順を表示したりするために、ディスプレイを備える。前記紙幣取扱装置は、操作者が受取払出口２１に挿入した紙幣、及び前記硬貨投入・釣銭部に投入した硬貨を受け取ったり、操作者との取引きに従って、所定の額の紙幣を前記受取払出口２１に払い出したり、硬貨を硬貨投入・釣銭部に払い出したりする。なお、前記カード処理部は金融機関が発行したカードを取り込んだり、返却したりし、前記レシート排出部は、操作者との取引きに従って明細書を発行する。
【００１９】
前記紙幣受取払出部２０は、中央に受取払出口２１が貫通させて形成され、本体部７１及び該本体部７１の周縁に突出させて形成されたフランジ部７２を備えた矩形のパネル部６１、該パネル部６１に対してほぼ直角に、かつ、前記受取払出口２１の下縁から前方（図９における右方）及び後方（図９における左方）に突出させて形成された紙幣受け部６２、前記受取払出口２１の上縁から前方に突出させて形成された上案内部６３、並びに前記受取払出口２１の左右の横縁から前方に突出させて、かつ、紙幣受け部６２の両縁から上方に立ち上げて形成された横案内部６４、６５を備える。前記パネル部６１は、図示されないねじによって紙幣取扱装置の本体に取り付けられ、そのために、４箇所にねじ穴ｑ１〜ｑ４が形成される。
【００２０】
前記紙幣受け部６２の前端（図９における右端）の近傍における両縁部（横案内部６４、６５の近傍）の上面に、前方に向けて斜め下方に傾斜させて第１の案内面としての第１の下案内面２４が形成され、各第１の下案内面２４間に、前記紙幣受け部６２の前端から中央にかけての部分の上面に、半円形状の形状を有し、前方に向けて斜め下方に傾斜させて、かつ、幅方向における中央に近いほど低くなるように第２の案内面としての第２の下案内面２５が形成される。なお、前記第１の下案内面２４及び第２の下案内面２５以外の部分は平坦（たん）にされて、水平に延びる平坦部ｐ１を構成する。
【００２１】
また、前記上案内部６３の幅方向における中央に、半円形の形状を有する凹溝２６が形成され、前記上案内部６３の下面における前記凹溝２６の両縁に、前方に向けて斜め上方に傾斜させて第１の案内面としての第１の上案内面２７が形成される。そして、前記上案内部６３の幅方向における両縁部（横案内部６４、６５の近傍）に、前方に向けて斜め上方に傾斜させて、かつ、横案内部６４、６５に近いほど後方になるように第２の案内面としての第２の上案内面２８が形成される。
【００２２】
また、前記横案内部６４、６５の内面に、斜め外方に向けて広がるように、垂直の第１の横案内面３１、３２が形成され、各第１の横案内面３１、３２の上方に、斜め上方に向けて広がるように、第２の横案内面３３、３４が形成される。
【００２３】
ところで、前記第１の下案内面２４及び第１の上案内面２７を前記平坦部ｐ１と平行な平面で切ったときに得られる切断線は、受取払出口２１の幅方向において直線状に延びる。これに対して、第２の下案内面２５を前記平坦部ｐ１と平行な平面で切ったときに得られる切断線は、受取払出口２１の幅方向において直線状に延びず、中央に近いほど後方に、中央から遠いほど前方になるような形状を有する。また、第２の上案内面２８を前記平坦部ｐ１と平行な平面で切ったときに得られる切断線も、同様に、受取払出口２１の幅方向において直線状に延びず、中央に近いほど前方に、中央から遠いほど後方になるような形状を有する。
【００２４】
したがって、第１の下案内面２４は、紙幣取扱装置によって紙幣が受け取られるときの挿入方向において前端が下方に湾曲した紙幣を矯正して受取払出口２１に案内し、第１の上案内面２７は、受取り時に紙幣の挿入方向において前端が上側に湾曲した紙幣、束にされ、厚みのある複数の紙幣等を矯正して受取払出口２１に案内し、第１の横案内面３１、３２及び第２の横案内面３３、３４は、受取り時に紙幣の挿入方向において左右にずれた紙幣を受取払出口２１に案内する。
【００２５】
また、第２の下案内面２５は、紙幣取扱装置によって紙幣が受け取られるときに受取払出口２１の幅方向において、中央部分が低く、両縁部が高くなるように湾曲している紙幣が紙幣受け部６２に当たったときの衝撃を和らげるとともに、紙幣を挿入するに従って、紙幣の前端における中央部分を押し上げて湾曲を矯正する。そして、第２の上案内面２８は、受取り時に受取払出口２１の幅方向において、中央部分が低く、両縁部が高くなるように湾曲している紙幣を受取払出口２１に案内し、紙幣を挿入するに従って、紙幣の前端における両縁部を押し下げて湾曲を矯正する。
【００２６】
次に、前記構成の紙幣受取払出部２０の動作について説明する。
【００２７】
図１２は本発明の実施の形態における紙幣受取払出部の動作を示す第１の図、図１３は本発明の実施の形態における紙幣受取払出部の動作を示す第２の図、図１４は本発明の実施の形態における紙幣受取払出部の動作を示す第３の図、図１５は本発明の実施の形態における紙幣受取払出部の動作を示す第４の図、図１６は本発明の実施の形態における紙幣が払い出された状態を示す図である。
【００２８】
まず、前端（図１４における左端）が上方に湾曲している紙幣Ｐを受取払出口２１に挿入しようとすると、紙幣Ｐの前端が、第１の上案内面２７に当たり、第１の上案内面２７に接触しながら前方（図１４における左方）に移動する。これに伴って、第１の上案内面２７は、紙幣Ｐの前端を下方に押し下げて湾曲を矯正する。その結果、紙幣Ｐは受取払出口２１に案内される。
【００２９】
また、前端が下方に湾曲している紙幣Ｐを受取払出口２１に挿入しようとすると、紙幣Ｐの前端が、第１の下案内面２４に当たり、第１の下案内面２４に接触しながら前方に移動する。これに伴って、第１の下案内面２４は、紙幣Ｐの前端を上方に押し上げて湾曲を矯正する。その結果、紙幣Ｐは受取払出口２１に案内される。
【００３０】
そして、図１２に示されるように、受取払出口２１の幅方向において、中央部分が低く、両縁部が高くなるように湾曲している紙幣Ｐを受取払出口２１に挿入しようとすると、紙幣Ｐの前端が、第２の下案内面２５に当たり、衝撃が和らげられる。また、紙幣Ｐを挿入するに従って、前記中央部分が第２の下案内面２５に当たり、第２の下案内面２５に接触しながら前方に移動する。これに伴って、第２の下案内面２５は、前記中央部分を、図１２の矢印で示されるように上方に押し上げて湾曲を矯正する。その結果、紙幣Ｐは第２の下案内面２５によって受取払出口２１に案内される。
【００３１】
また、図１３に示されるように、受取払出口２１の幅方向において、中央部分が低く、両縁部が高くなるように湾曲している紙幣Ｐを受取払出口２１に挿入しようとすると、紙幣Ｐを挿入するに従って、前記両縁部が第２の上案内面２８に当たり、第２の上案内面２８に接触しながら前方に移動する。これに伴って、第２の上案内面２８は、前記両縁部を、図１３の矢印で示されるように下方に押し下げて湾曲を矯正する。その結果、紙幣Ｐは第２の下案内面２５によって受取払出口２１に案内される。
【００３２】
さらに、図１４及び１５に示されるように、紙幣Ｐの挿入方向において左右にずれている紙幣Ｐを受取払出口２１に挿入しようとすると、紙幣Ｐの前端の両縁部が、第１の横案内面３１、３２又は第２の横案内面３３、３４に当たり、第１の横案内面３１、３２又は第２の横案内面３３、３４に接触しながら前方に移動する。その結果、第１の横案内面３１、３２又は第２の横案内面３３、３４は、図１４及び１５の矢印で示されるように紙幣Ｐを受取払出口２１に案内する。
【００３３】
このように、本実施の形態においては、第２の下案内面２５及び第２の上案内面２８によって紙幣Ｐの湾曲が矯正されるので、受取払出口２１の幅方向において湾曲した紙幣Ｐ、前端の角に折れくせがついた紙幣Ｐ等を挿入しようとしたときに、紙幣Ｐの前端が折れ曲がることがない。したがって、紙幣Ｐを円滑に受取払出口２１に挿入することができる。
【００３４】
また、左右にずれたままで紙幣Ｐが受取払出口２１に挿入されることがないので、受取払出口２１の幅方向における紙幣Ｐに折れが発生するのを防止することができる。
【００３５】
ところで、紙幣取扱装置は、紙幣Ｐを受け取ると、内部に組み込まれた図示されない紙幣鑑別部で紙幣Ｐが異常であるかどうかの判定を行い、該判定において紙幣Ｐが異常である場合、前記受取払出口２１を介して紙幣Ｐを顧客に返却する。この場合、紙幣Ｐの長手方向寸法が小さいと、紙幣受取払出部２０において受取払出口２１を介して払い出された紙幣Ｐを操作者が取り出すのが困難になってしまう。
【００３６】
ところが、本実施の形態においては、前記上案内部６３に前記凹溝２６が形成されるので、短い紙幣Ｐであっても操作者は、紙幣Ｐを目視することができる。したがって、紙幣Ｐを容易に紙幣受取払出部２０から取り出すことができる。
【００３７】
本実施の形態においては、紙幣受け部６２に第２の下案内面２５が、上案内部６３に第２の上案内面２８が形成されて、紙幣受け部６２及び上案内部６３の両方に第２の案内面が形成されるようになっているが、紙幣受け部６２及び上案内部６３のうちの一方に第２の案内面を形成することもできる。
【００３８】
なお、本発明は前記実施の形態に限定されるものではなく、本発明の趣旨に基づいて種々変形させることが可能であり、それらを本発明の範囲から排除するものではない。
【００３９】
【発明の効果】
以上詳細に説明したように、本発明によれば、紙幣取扱装置においては、複数枚の紙幣の挿入に伴って、折れ曲がり等の変形を矯正するようになっている。
そして、受取払出口の下縁から前方に突出させて形成された紙幣受け部と、前記受取払出口の上縁から前方に突出させて形成された上案内部とを有する。
【００４０】
また、前記紙幣受け部及び上案内部は、いずれも、紙幣の挿入方向における湾曲を矯正する第１の案内面、及び紙幣の挿入方向に対して直角の方向における湾曲を矯正する第２の案内面を備える。
【００４１】
この場合、第１の案内面によって紙幣の挿入方向における湾曲が矯正され、第２の案内面によって紙幣の挿入方向に対して直角の方向における湾曲が矯正されるので、紙幣の挿入方向、及び紙幣の挿入方向に対して直角の方向において湾曲した紙幣、前端の角に折れくせがついた紙幣等を挿入しようとしたときに、紙幣の前端が折れ曲がることがない。したがって、紙幣を円滑に受取払出口に挿入することができる。
【図面の簡単な説明】
【図１】本発明の実施の形態における紙幣受取払出部の正面図である。
【図２】従来の紙幣受取払出部の斜視図である。
【図３】従来の紙幣受取払出部の正面図である。
【図４】従来の紙幣受取払出部の断面図である。
【図５】従来の紙幣受取払出部の動作を示す第１の図である。
【図６】従来の紙幣受取払出部の動作を示す第２の図である。
【図７】従来の紙幣受取払出部の動作を示す第３の図である。
【図８】本発明の実施の形態における紙幣受取払出部の平面図である。
【図９】図８のＸ−Ｘ断面図である。
【図１０】本発明の実施の形態における紙幣受取払出部の第１の斜視図である。
【図１１】本発明の実施の形態における紙幣受取払出部の第２の斜視図である。
【図１２】本発明の実施の形態における紙幣受取払出部の動作を示す第１の図である。
【図１３】本発明の実施の形態における紙幣受取払出部の動作を示す第２の図である。
【図１４】本発明の実施の形態における紙幣受取払出部の動作を示す第３の図である。
【図１５】本発明の実施の形態における紙幣受取払出部の動作を示す第４の図である。
【図１６】本発明の実施の形態における紙幣が払い出された状態を示す図である。
【符号の説明】
２１    受取払出口
２４、２５    第１、第２の下案内面
２６    凹溝
２７、２８    第１、第２の上案内面
６２    紙幣受け部
６３    上案内部
６４、６５    横案内部
【図１】
0003793077.tif 000002
【図２】
0003793077.tif 000003
【図３】
0003793077.tif 000004
【図４】
0003793077.tif 000005
【図５】
0003793077.tif 000006
【図６】
0003793077.tif 000007
【図７】
0003793077.tif 000008
【図８】
0003793077.tif 000009
【図９】
0003793077.tif 000010
【図１０】
0003793077.tif 000011
【図１１】
0003793077.tif 000012
【図１２】
0003793077.tif 000013
【図１３】
0003793077.tif 000014
【図１４】
0003793077.tif 000015
【図１５】
0003793077.tif 000016
【図１６】
0003793077.tif 000017